【手続補正書】
【提出日】令和2年9月9日(2020.9.9)
【手続補正１】
【補正対象書類名】特許請求の範囲
【補正対象項目名】全文
【補正方法】変更
【補正の内容】
【特許請求の範囲】
【請求項１】
装置のための通信の方法であって、
ハイブリッド自動再送要求（ＨＡＲＱ）送信のために使用されるべきリソースブロックの量を決定することと、
前記ＨＡＲＱ送信のために使用されるべきスケジューリング割り当て（ＳＡ）シンボルの量を選択することと、ここにおいて、前記ＨＡＲＱ送信のために使用されるべきスケジューリング割り当て（ＳＡ）シンボルの前記量の前記選択は、前記ＨＡＲＱ送信のために使用されるべきリソースブロックの前記決定された量に基づく、
前記ＨＡＲＱ送信のために使用されるべきリソースブロックの前記決定された量を示す情報を送ることと、
前記選択された量のＳＡシンボルを送ることと、
を備える、方法。
【請求項２】
リソースブロックの前記決定された量を示す前記情報が、リッスンビフォアトーク（ＬＢＴ）シーケンスを介して送られる、請求項１に記載の方法。
【請求項３】
各ＳＡシンボルが、前記ＨＡＲＱ送信の間に送られるデータを復号するための情報を備える、請求項１に記載の方法。
【請求項４】
ＳＡシンボルの前記量の前記選択が、
リソースブロックの前記決定された量をしきい値と比較することと、
前記比較に基づいて、使用されるべきＳＡシンボルの前記量を識別することと、
を備える、請求項１に記載の方法。
【請求項５】
ＳＡシンボルの前記量の前記識別が、
リソースブロックの前記決定された量が前記しきい値を超える場合、第１の量の前記ＳＡシンボルを使用することを選ぶこと、または、
リソースブロックの前記決定された量が前記しきい値を超えない場合、第２の量の前記ＳＡシンボルを使用することを選ぶこと、ここにおいて、前記第２の量は前記第１の量より少ない、
を備える、請求項４に記載の方法。
【請求項６】
前記ＨＡＲＱ送信が、
リソースブロックの前記決定された量の一部を介してデータを送ること、
を備える、請求項１に記載の方法。
【請求項７】
装置のための通信の方法であって、
ハイブリッド自動再送要求（ＨＡＲＱ）動作の間に受信されるべきリソースブロックの量を示す情報を受信することと、
前記ＨＡＲＱ動作の間に受信されるべきスケジューリング割り当て（ＳＡ）シンボルの量を決定することと、ここにおいて、前記ＨＡＲＱ動作の間に受信されるべきＳＡシンボルの前記量の前記決定は、前記ＨＡＲＱ動作の間に受信されるべきリソースブロックの前記量に基づく、
前記決定された量のＳＡシンボルを受信することと、
を備える、方法。
【請求項８】
リソースブロックの前記量を示す前記情報が、リッスンビフォアトーク（ＬＢＴ）シーケンスを介して受信される、請求項７に記載の方法。
【請求項９】
ＳＡシンボルの前記量の前記決定が、
リソースブロックの前記量をしきい値と比較することと、
前記比較に基づいて、受信されるべきＳＡシンボルの前記量を識別することと、
を備える、請求項７に記載の方法。
【請求項１０】
ＳＡシンボルの前記量の前記識別が、
リソースブロックの前記量が前記しきい値を超える場合、第１の量の前記ＳＡシンボルが受信されることとなると決定すること、または、
リソースブロックの前記量が前記しきい値を超えない場合、第２の量の前記ＳＡシンボルが受信されることとなると決定すること、ここにおいて、前記第２の量は前記第１の量より少ない、
を備える、請求項９に記載の方法。
【請求項１１】
前記ＨＡＲＱ動作が、
前記決定された量のＳＡシンボルを受信した後に、リソースブロックの前記量の一部を介してデータを受信すること、
を備える、請求項７に記載の方法。
【請求項１２】
装置のための通信の方法であって、
ハイブリッド自動再送要求（ＨＡＲＱ）送信のために使用されるべきスケジューリング割り当て（ＳＡ）シンボルの量を決定することと、
複数の異なるリソースコンテンションシーケンスから、前記ＨＡＲＱ送信のために使用されるべきリソースコンテンションシーケンスを選択することと、ここにおいて、前記ＨＡＲＱ送信のために使用されるべき前記リソースコンテンションシーケンスの前記選択は、前記ＨＡＲＱ送信のために使用されるべきＳＡシンボルの前記決定された量に基づく、
前記リソースコンテンションシーケンスを送ることと、ここにおいて、前記リソースコンテンションシーケンスは、前記ＨＡＲＱ送信のために使用される複数のリソースブロックのインジケーションを備える、
を備える、方法。
【請求項１３】
前記リソースコンテンションシーケンスを送った後に、前記決定された量のＳＡシンボルを送ること、
をさらに備える、請求項１２に記載の方法。
【請求項１４】
前記選択されたリソースコンテンションシーケンスが、リッスンビフォアトーク（ＬＢＴ）シーケンスを備える、請求項１２に記載の方法。
【請求項１５】
各ＳＡシンボルが、前記ＨＡＲＱ送信の間に送られるデータを復号するための情報を備える、請求項１２に記載の方法。
【請求項１６】
前記リソースコンテンションシーケンスの前記選択が、
ＳＡシンボルの前記決定された量をしきい値と比較することと、
前記比較に基づいて、使用されるべき前記リソースコンテンションシーケンスを識別することと、
を備える、請求項１２に記載の方法。
【請求項１７】
前記リソースコンテンションシーケンスの前記識別が、
ＳＡシンボルの前記決定された量が前記しきい値を超える場合、リソースコンテンションシーケンスの第１のセットからのリソースコンテンションシーケンスを使用することを選ぶこと、または、
ＳＡシンボルの前記決定された量が前記しきい値を超えない場合、リソースコンテンションシーケンスの第２のセットからのリソースコンテンションシーケンスを使用することを選ぶこと、
を備える、請求項１６に記載の方法。
【請求項１８】
前記ＨＡＲＱ送信が、
前記リソースコンテンションシーケンスを送った後に、前記リソースブロックの一部を介してデータを送ること、
を備える、請求項１２に記載の方法。
【請求項１９】
装置のための通信の方法であって、
リソースコンテンションシーケンスを受信することと、ここにおいて、前記リソースコンテンションシーケンスは、ハイブリッド自動再送要求（ＨＡＲＱ）動作の間に受信されるべき複数のリソースブロックのインジケーションを備える、
複数の異なるリソースコンテンションシーケンスからの前記リソースコンテンションシーケンスを識別することと、
前記ＨＡＲＱ動作の間に受信されるべきスケジューリング割り当て（ＳＡ）シンボルの量を決定することと、ここにおいて、前記ＨＡＲＱ動作の間に受信されるべきＳＡシンボルの前記量の前記決定は、前記リソースコンテンションシーケンスの前記識別に基づく、
前記決定された量のＳＡシンボルを受信することと、
を備える、方法。
【請求項２０】
前記リソースコンテンションシーケンスが、リッスンビフォアトーク（ＬＢＴ）シーケンスを備える、請求項１９に記載の方法。
【請求項２１】
ＳＡシンボルの前記量の前記決定が、
前記リソースコンテンションシーケンスをリソースコンテンションシーケンスのマッピングと比較することと、ここにおいて、前記マッピングは、異なるセットのリソースコンテンションシーケンスを異なる量のＳＡシンボルにマッピングする、
前記比較に基づいて、受信されるべきＳＡシンボルの前記量を識別することと、
を備える、請求項１９に記載の方法。
【請求項２２】
ＳＡシンボルの前記量の前記識別が、
前記リソースコンテンションシーケンスが、リソースコンテンションシーケンスの前記セットの第１のセットにマッピングする場合、第１の量の前記ＳＡシンボルが受信されることとなると決定すること、または、
前記リソースコンテンションシーケンスがリソースコンテンションシーケンスの前記セットの第２のセットにマッピングする場合、第２の量の前記ＳＡシンボルが受信されることとなると決定すること、
を備える、請求項２１に記載の方法。
【請求項２３】
前記ＨＡＲＱ動作が、
前記決定された量のＳＡシンボルを受信した後に、前記リソースブロックの一部を介してデータを受信すること、
を備える、請求項１９に記載の方法。
【手続補正２】
【補正対象書類名】明細書
【補正対象項目名】０２１８
【補正方法】変更
【補正の内容】
【０２１８】
[0233]  前述の開示は例示的な態様を示すが、添付の特許請求の範囲の適用範囲から逸脱することなく、ここで様々な変更および修正が成されることができることに留意されたい。そうでないと明示的に述べられていない限り、本明細書で説明された態様に従った方法の請求項の機能、ステップ、またはアクションは、特定の順序で実施される必要はない。さらに、要素は、単数形で説明され得るまたは特許請求され得るが、単数形への限定が明記されていない限り、複数形が考慮されている。
以下に本願発明の当初の特許請求の範囲に記載された発明を付記する。
［Ｃ１］
装置のための通信の方法であって、
誤り訂正動作のために使用されるべきリソースブロックの量を決定することと、
前記誤り訂正動作のために使用されるべき制御情報要素の量を選択することと、ここにおいて、前記選択は、リソースブロックの前記決定された量に基づく、
リソースブロックの前記決定された量を示す情報を送ることと、
前記選択された量の制御情報要素を送ることと、
を備える、方法。
［Ｃ２］
前記選択された量の制御情報要素が、ある量のスケジューリング割り当て（ＳＡ）シンボルを備える、Ｃ１に記載の方法。
［Ｃ３］
リソースブロックの前記決定された量を示す前記情報が、リッスンビフォアトーク（ＬＢＴ）シーケンスを介して送られる、Ｃ１に記載の方法。
［Ｃ４］
前記誤り訂正動作が、ハイブリッド自動再送要求（ＨＡＲＱ）送信を備える、Ｃ１に記載の方法。
［Ｃ５］
各制御情報要素が、前記誤り訂正動作の間に送られるデータを復号するための情報を備える、Ｃ１に記載の方法。
［Ｃ６］
制御情報要素の前記量の前記選択が、
リソースブロックの前記決定された量をしきい値と比較することと、
前記比較に基づいて、使用されるべき制御情報要素の前記量を識別することと、
を備える、Ｃ１に記載の方法。
［Ｃ７］
制御情報要素の前記量の前記識別が、
リソースブロックの前記決定された量が前記しきい値を超える場合、第１の量の前記制御情報要素を使用することを選ぶこと、または、
リソースブロックの前記決定された量が前記しきい値を超えない場合、第２の量の前記制御情報要素を使用することを選ぶこと、ここにおいて、前記第２の量は前記第１の量より少ない、
を備える、Ｃ６に記載の方法。
［Ｃ８］
前記誤り訂正動作が、
リソースブロックの前記決定された量の一部を介してデータを送ること、
を備える、Ｃ１に記載の方法。
［Ｃ９］
装置のための通信の方法であって、
誤り訂正動作の間に受信されるべきリソースブロックの量を示す情報を受信することと、
前記誤り訂正動作の間に受信されるべき制御情報要素の量を決定することと、ここにおいて、前記決定は、リソースブロックの前記量に基づく、
前記決定された量の制御情報要素を受信することと、
を備える、方法。
［Ｃ１０］
前記決定された量の制御情報要素が、ある量のスケジューリング割り当て（ＳＡ）シンボルを備える、Ｃ９に記載の方法。
［Ｃ１１］
リソースブロックの前記量を示す前記情報が、リッスンビフォアトーク（ＬＢＴ）シーケンスを介して受信される、Ｃ９に記載の方法。
［Ｃ１２］
前記誤り訂正動作が、ハイブリッド自動再送要求（ＨＡＲＱ）動作を備える、Ｃ９に記載の方法。
［Ｃ１３］
制御情報要素の前記量の前記決定が、
リソースブロックの前記量をしきい値と比較することと、
前記比較に基づいて、受信されるべき制御情報要素の前記量を識別することと、
を備える、Ｃ９に記載の方法。
［Ｃ１４］
制御情報要素の前記量の前記識別が、
リソースブロックの前記量が前記しきい値を超える場合、第１の量の前記制御情報要素が受信されるべきであると決定すること、または、
リソースブロックの前記量が前記しきい値を超えない場合、第２の量の前記制御情報要素が受信されるべきであると決定すること、ここにおいて、前記第２の量は前記第１の量より少ない、
を備える、Ｃ１３に記載の方法。
［Ｃ１５］
前記誤り訂正動作が、
前記決定された量の制御情報要素を受信した後に、リソースブロックの前記量の一部を介してデータを受信すること、
を備える、Ｃ９に記載の方法。
［Ｃ１６］
装置のための通信の方法であって、
誤り訂正動作のために使用されるべき制御情報要素の量を決定することと、
前記誤り訂正動作用に使用するためのリソースコンテンションシーケンスを選択することと、ここにおいて、前記選択は、制御情報要素の前記決定された量に基づく、
前記リソースコンテンションシーケンスを送ることと、ここにおいて、前記リソースコンテンションシーケンスは、前記誤り訂正動作のために使用される複数のリソースブロックのインジケーションを備える、
を備える、方法。
［Ｃ１７］
前記決定された量の制御情報要素が、ある量のスケジューリング割り当て（ＳＡ）シンボルを備える、Ｃ１６に記載の方法。
［Ｃ１８］
前記リソースコンテンションシーケンスを送った後に、前記決定された量のＳＡシンボルを送ること、
をさらに備える、Ｃ１７に記載の方法。
［Ｃ１９］
前記選択されたリソースコンテンションシーケンスが、リッスンビフォアトーク（ＬＢＴ）シーケンスを備える、Ｃ１６に記載の方法。
［Ｃ２０］
前記誤り訂正動作が、ハイブリッド自動再送要求（ＨＡＲＱ）送信を備える、Ｃ１６に記載の方法。
［Ｃ２１］
各制御情報要素が、前記誤り訂正動作の間に送られるデータを復号するための情報を備える、Ｃ１６に記載の方法。
［Ｃ２２］
前記リソースコンテンションシーケンスの前記選択が、
制御情報要素の前記決定された量をしきい値と比較することと、
前記比較に基づいて、使用されるべき前記リソースコンテンションシーケンスを識別することと、
を備える、Ｃ１６に記載の方法。
［Ｃ２３］
前記リソースコンテンションシーケンスの前記識別が、
制御情報要素の前記決定された量が前記しきい値を超える場合、リソースコンテンションシーケンスの第１のセットからのリソースコンテンションシーケンスを使用することを選ぶこと、または、
制御情報要素の前記決定された量が前記しきい値を超えない場合、リソースコンテンションシーケンスの第２のセットからのリソースコンテンションシーケンスを使用することを選ぶこと、
を備える、Ｃ２２に記載の方法。
［Ｃ２４］
前記誤り訂正動作が、
前記選択されたリソースコンテンションシーケンスを送った後に、前記リソースブロックの一部を介してデータを送ること、
を備える、Ｃ１６に記載の方法。
［Ｃ２５］
装置のための通信の方法であって、
リソースコンテンションシーケンスを受信することと、ここにおいて、前記リソースコンテンションシーケンスは、誤り訂正動作の間に受信されるべき複数のリソースブロックのインジケーションを備える、
前記誤り訂正動作の間に受信されるべき制御情報要素の量を決定することと、ここにおいて、前記決定は、前記リソースコンテンションシーケンスに基づく、
前記決定された量の制御情報要素を受信することと、
を備える、方法。
［Ｃ２６］
制御情報要素の前記決定された量が、スケジューリング割り当て（ＳＡ）シンボルの量を備える、Ｃ２５に記載の方法。
［Ｃ２７］
前記リソースコンテンションシーケンスが、リッスンビフォアトーク（ＬＢＴ）シーケンスを備える、Ｃ２５に記載の方法。
［Ｃ２８］
制御情報要素の前記量の前記決定が、
前記リソースコンテンションシーケンスをリソースコンテンションシーケンスのマッピングと比較することと、ここにおいて、前記マッピングは、異なるセットのリソースコンテンションシーケンスを異なる量の制御情報要素にマッピングする、
前記比較に基づいて、受信されるべき制御情報要素の前記量を識別することと、
を備える、Ｃ２５に記載の方法。
［Ｃ２９］
制御情報要素の前記量の前記識別が、
前記リソースコンテンションシーケンスが、リソースコンテンションシーケンスの前記セットの第１のセットにマッピングする場合、第１の量の前記制御情報要素が受信されるべきであると決定すること、または、
前記リソースコンテンションシーケンスがリソースコンテンションシーケンスの前記セットの第２のセットにマッピングする場合、第２の量の前記制御情報要素が受信されるべきであると決定すること、
を備える、Ｃ２８に記載の方法。
［Ｃ３０］
前記誤り訂正動作が、
前記決定された量の制御情報要素を受信した後に、前記リソースブロックの一部を介してデータを受信すること、
を備える、Ｃ２５に記載の方法。